(57)【要約】 【課題】折版屋根上に横架した雪止めアングル材に吊下げ装着する折版屋根谷部用雪止め金具において、装着作業の容易化と、装着後の安全性の向上を図る。【解決手段】取付対象であるアングル材に装着した際に、アングル上部水平板部の上面に当接する載置板部１１と、アングル垂直板部の外面に当接し且つアングル材下方へ突出する雪止め板部１２とで構成される本体部１を備えると共に、アングル上部水平板部の下面に当接可能な形状の固定下面板部２１と、アングル垂直板部の内面に当接可能な形状の固定内面板部２２とで構成される固定部２とを備え、載置板部１１の先端と固定下面板部２１との間を、長孔３１と細幅連結部３２で構成される連結部３で、所定以上の力で折曲可能に連結して本体部と固定部を一体に形成してなる。【選択図】図１
2007211444.tif 000002
【特許請求の範囲】
【請求項１】
取付対象であるアングル材に装着した際に、アングル上部水平板部の上面に当接する載置板部と、アングル垂直板部の外面に当接し且つアングル材下方へ突出する雪止め板部とで構成される本体部を備えると共に、アングル上部水平板部の下面に当接可能な形状の固定下面板部と、アングル垂直板部の内面に当接可能な形状の固定内面板部とで構成される固定部とを備え、載置板部の先端と固定下面板部との間を、所定以上の力で折曲可能に連結して本体部と固定部を一体に形成してなることを特徴とする折版屋根谷部用雪止め金具。
【請求項２】
アングル材に装着した際に、固定内面板部がアングル材下方に突出する形状に形成し、アングル下方位置における本体部の雪止め板部と、固定部の固定内面板部に相対応するボルト用孔を設けてなる請求項１記載の折版屋根谷部用雪止め金具。
【請求項３】
本体部と固定部とを一枚の金属板で形成すると共に、本体部と固定部の境界部分に長孔を穿って形成した細幅連結部を設けてなる請求項１又は２記載の折版屋根谷部用雪止め金具。
【請求項４】
本体部の雪止め板部に、通水孔を穿設してなる請求項１乃至３記載のいずれかの折版屋根谷部用雪止め金具。
【発明の詳細な説明】
【技術分野】
【０００１】
本発明は、工場，倉庫等の屋根に用いられている折版屋根に取り付ける折版屋根谷部用雪止め金具に関するものである。
【背景技術】
【０００２】
折版屋根の雪止めは、第一次的には、折版屋根の丸馳部（巻はぜ部）を挟持して固定する金具にアングル材を架設したものや（意匠登録第５４３０１２号公報，同第５７９７０２号公報等参照）、折版屋根に突出した屋根連結ボルトに螺合して装着した金具に、雪止め用アングル材を架設したもののように、折版屋根の最上面位置にアングル材を横架して実現しているものである。
【０００３】
前記の雪止め手段では、折版屋根の谷部が深い場合、谷部の積雪がアングル材の下をくぐって落下する場合があるので、従前よりアングル材に装着して折版屋根の谷部に雪止め部を垂下させる折版屋根谷用雪止め金具が提案されている（特許文献１，２，３，４、５）。
【０００４】
その基本的構造は、載置板部と雪止め板部とを備えて、上方部分がアングル上部水平板部及びアングル垂直板部に当接する本体部材と、前記本体部材をアングル材に固定する固定部材で構成されているものである。
【０００５】
そして特許文献１，２，３記載の金具の固定部材の構造は、アングル材の垂直板部と当接する部分と本体部材の鉛直板部に当接する部分とを備えた段差を有する板状体で、本体部材とボルト連結することで、アングル材の垂直板部の下縁部分を本体部材と固定部材とで挟持するようにしているものである。
【０００６】
また特許文献４記載の金具の固定部材構造は、アングル材の垂直板部の下縁部分の前後方向で嵌合する溝を備え、前記固定部材を本体部材に上下移動可能に組み込み、所望位置で固定するようにしているものである。
【０００７】
更に特許文献５記載の金具の固定部材構造は、アングル材の水平板部の下面及び垂直板部内面（本体部材が当接する面を外面とした場合）に添うＬ状に形成し、本体部材の載置板部の先端と固定部材の水平板部先端とを係止可能な構造とし、前記先端部の係止とアングル垂直板部の下方における本体部材と固定部材とのボルト締結で、アングル材を本体部材と固定部材とで挟持するようにしているものである。
【０００８】
【特許文献１】実公平７−３５９７５号公報。
【特許文献２】実用新案登録第２５８３３６４号公報。
【特許文献３】特開平８−３３３８５２号公報。
【特許文献４】特開平９-２８７２５８号公報。
【特許文献５】特開２０００−６４５３８号公報。
【発明の開示】
【発明が解決しようとする課題】
【０００９】
前記の従前金具は、本体部材と固定部材が各々独立部材であり、それぞれをプレス成形で形成し、両者をボルトナットによる連結固定する組み合わせ使用によってアングル材に取り付けているものである。
【００１０】
従って、独立状態の２部材を組み合わせてアングル材に装着するという使用上の煩雑さがあり、更に本体部材と固定部材の連結を基本的に１本のボルト締結で実施しているものであるから、ボルトが緩むと固定部材によるアングル材の保持や係止が外れ、金具がアングルから外れてしまう虞もある。
【００１１】
そこで本発明は、従前の本体部材と固定部材を一体に形成して前記の課題を解決する新規な折版屋根谷部用雪止め金具を提案したものである。
【課題を解決するための手段】
【００１２】
本発明に係る折版屋根谷部用雪止め金具は、取付対象であるアングル材に装着した際に、アングル上部水平板部の上面に当接する載置板部と、アングル垂直板部の外面に当接し且つアングル材下方へ突出する雪止め板部とで構成される本体部を備えると共に、アングル上部水平板部の下面に当接可能な形状の固定下面板部と、アングル垂直板部の内面に当接可能な形状の固定内面板部とで構成される固定部とを備え、載置板部の先端と固定下面板部との間を、所定以上の力で折曲可能に連結して本体部と固定部を一体に形成してなることを特徴とするものである。
【００１３】
而して前記金具を、予め本体部と固定部とをアングル材に吊下げ状態とすることが可能な状態に開いておいて、前記の開口状態でアングル材に吊下げ、固定部を折曲してアングル材に当接すると、金具はアングル材に装着される。
【００１４】
また本発明（請求項２）に係る折版屋根谷部用雪止め金具は、アングル材に装着した際に、固定内面板部がアングル材下方に突出する形状に形成し、アングル下方位置における本体部の雪止め板部と、固定部の固定内面板部に相対応するボルト用孔を設けてなるものである。
【００１５】
従って固定部を折曲して金具をアングル材に装着した後に、ボルト孔に連結ボルトを挿通しナットを螺合緊締することで、本体部と固定部とでアングル材を強く挟持することになり、金具はより堅牢に装着固定される。
【００１６】
また本発明（請求項３）に係る折版屋根谷部用雪止め金具は、本体部と固定部とを一枚の金属板で形成すると共に、本体部と固定部の境界部分に長孔を穿って形成した細幅連結部を設けてなるもので、これによって一枚の金属板のプレス加工によって金具を形成できることになる。
【００１７】
更に本発明（請求項４）に係る折版屋根谷部用雪止め金具は、本体部の雪止め板部に、通水孔を穿設してなるもので、雪止め板部によって屋根積雪の落下が止められ、雪解け水が前記の積雪によってダム様に堰き止められても、通水孔からの排水（直接排水や積雪への浸透による排水）がなされることになる。
【発明の効果】
【００１８】
本発明は上記構成で、折曲可能な連結部で連結して本体部と固定部を一体に形成してなるので、単一部材でのアングル装着が可能となり、アングル材への取付作業が効率的に実施されることになる。
【００１９】
また本発明（請求項２）固定内面板部と雪止め板部とをボルト連結することで、アングル材への固定が堅牢になされると共に、仮にボルト緊締が緩んだとしても、金具はアングル材から離脱する虞は無く安全である。
【００２０】
さらに本発明（請求項３）は、特に一枚の金属板のプレス加工によって金具を形成することができる製造上の利点も有する。
【００２１】
更に本発明（請求項４）は、排水機能が高められているものであるから、屋根上に雪解け水が溢れたり、この雪解け水による雨漏りなどの発生を防止しているものである。
【発明を実施するための最良の形態】
【００２２】
次に本発明の実施の形態について説明する。実施形態に示した折版屋根谷部用雪止め金具は、１枚の金属板で形成した例である。
【００２３】
実施形態の折版屋根谷部用雪止め金具は、本体部１と固定部２と、連結部３で構成され、アングル材Ａへの装着に際しては連結ボルト４及びナット５を使用する。
【００２４】
本体部１は、取付対象であるアングル材Ａに装着した際に、アングル上部水平板部ａの上面に当接する載置板部１１と、アングル垂直板部ｂの外面に当接し且つアングル材下方へ突出する雪止め板部１２とで構成され、雪止め板部１２には、適宜位置にボルト用孔１３を設け、また適宜数箇所に通水孔１４を穿設してなるものである。
【００２５】
固定部２は、アングル上部水平板部ａの下面に当接可能な形状の固定下面板部２１と、アングル垂直板部ｂの内面に当接可能な形状の固定内面板部２２とで構成され、特に固定内面板部２２は、アングル材Ａに本金具を装着した際に、固定内面板部２２がアングル材のアングル垂直板部ｂの下方まで突出する形状に形成し、前記ボルト用孔１３と対応する位置にボルト用孔２３を設けてなる。
【００２６】
連結部３は、本体部１と固定部２の境界となる載置板部１１の先端と固定下面板部２１の先端の間に形成したもので、境界方向に長孔３１を穿って、長孔３１間に細幅連結部３２を設けることで、所定の機能（作業員の相応の人力で折曲可能な連結構造）を奏するようにしたものである。
【００２７】
また前記金具は、予め連結部３を折曲しておくもので、その折曲角度は、図２に例示するように本体部１と固定部２との下方開口部イからアングル材Ａが本体部１と固定部２で囲繞された空間ロに侵入できる程度にしておくものである。
【００２８】
而して前記金具は、図５に示すように折版屋根Ｂに設置されたアングル材Ａに装着し、雪止め板部１２を屋根谷部Ｃに垂下させて雪止め機能を発揮させるもので、その装着は、アングル材Ａに上方から被せるようにして、アングル材Ａが下方開口部イから空間ロに侵入するようにして、載置板部１１をアングル上部水平板部ａの上面に当接し、雪止め板部をアングル垂直板部ｂの外面に当接する（図３）。
【００２９】
次に連結部３を折曲して固定部２の固定下面板部２１をアングル上部水平板部ａの下面に当接させ、同時に固定内面板部２２をアングル垂直板部ｂの内面に当接させる。更にボルト用孔１３，２３に連結ボルト４を挿通しナット５を螺合緊締する。
【００３０】
従って本体部１と固定部２とでアングル材Ａを強く挟持することになり、金具は堅牢に装着固定されることになり、仮にボルトナットの螺合緊締が緩んだとしても、本体部１と固定部２とでアングル材Ａの全周を挟持しているので、金具がアングル材Ａから外れることがない。
【００３１】
尚本発明は前記の実施形態に限定されるものではなく、連結部は、固定部を通常の作業員の相応の人力で折曲できる構成であれば良く、例えば長孔と細幅連結部に代えて小孔を横列状態に穿設したり、プレス加工で厚みを薄くする等して形成しても良い。
【００３２】
また１枚の金属板から加工形成せずに、本体部と固定部を各別に形成し、しかる後所定の連結部（例えば本体部の載置板部先端に突設した細幅連結部）で本体部と固定部とを連結固定（溶接手段等による）しても良い。
【００３３】
また金具の全幅や、雪止め板の垂下長は、取付対象の折版屋根における谷部の幅及び深さに対応して決定されるものである。
【図面の簡単な説明】
【００３４】
【図１】本発明の実施形態の全体斜視図。
【図２】同アングル材への装着手順説明図（アングル材への吊下げ前）
【図３】同アングル材への装着手順説明図（アングル材への吊下げ後）
【図４】同アングル材への装着手順説明図（アングル材への固定）
【図５】同使用状態の説明図。
【符号の説明】
【００３５】
１        本体部
１１      載置板部
１２      雪止め板部
１３      ボルト用孔
１４      通水孔
２        固定部
２１      固定下面板部
２２      固定内面板部
２３      ボルト用孔
３        連結部
３１      長孔
３２      細幅連結部
４        連結ボルト
５        ナット
Ａ        アングル材
Ｂ        折版屋根
Ｃ        屋根谷部
【図１】
2007211444.tif 000003
【図２】
2007211444.tif 000004
【図３】
2007211444.tif 000005
【図４】
2007211444.tif 000006
【図５】
2007211444.tif 000007